(57)【要約】【課題】本発明は、蓄電池を使用したショーケースにおいて、蓄電池に効率良く充電を行うとともに、蓄電池を効率良く放電させて、省エネを図るショーケースを提供することにある。【解決手段】商用電源２００から給電される電気機器として、少なくとも、本体ケースの外箱と内箱との通風路に冷却器７および送風ファン８と、商品陳列領域を照らすための照明装置１３とを備えるとともに、商品電源２００から常時給電され充電される蓄電池２０とを備えたショーケースにおいて、前記商用電源２００から給電される電気機器を前記蓄電池２０からの給電に切替える切替手段（２１，２２）と、所定の切替条件に基づいて前記切替手段（２１，２２）に切替指令を出力する制御手段１００とを備えたことを特徴とする。【選択図】図１
2014212955.tif 000002
【特許請求の範囲】
【請求項１】
商用電源から給電される電気機器として、少なくとも、本体ケースの外箱と内箱との通風路に冷却器および送風ファンと、商品陳列領域を照らすための照明装置とを備えるとともに、商品電源から常時給電され充電される蓄電池とを備えたショーケースにおいて、前記商用電源から給電される電気機器を前記蓄電池からの給電に切替える切替手段と、所定の切替条件に基づいて前記切替手段に切替指令を出力する制御手段とを備えたことを特徴とするショーケース。
【請求項２】
請求項１に記載のショーケースにおいて、前記所定の切替条件は、電力ピークにおける時間帯によることを特徴とするショーケース。
【請求項３】
請求項１に記載のショーケースにおいて、前記所定の切替条件は、ショーケースの負荷、外気温の各パラメータを前記制御手段にて演算して電力使用量を予測し、この予測した電力使用量に基づくものであることを特徴とするショーケース。
【発明の詳細な説明】
【技術分野】
【０００１】
この発明は、店舗内に設置され、商品を冷却あるいは加温して陳列するショーケースに関する。
【背景技術】
【０００２】
まず、従来、店舗内に設置されているショーケースは、周知のとおり庫内には上下に数段の商品陳列棚が設けられ、その上に多数の商品が冷却あるいは加温して並べて展示されている。
【０００３】
このショーケースは、商品が陳列される庫内と冷気循環通路とが形成され、ファンにより冷却器を通して冷気循環通路及びケース本体の前面を循環する冷気流が形成されることにより庫内が所定温度に保冷され、商品を加温する場合には、商品陳列棚にヒータが敷設され、このヒータにより商品が加温される。
【０００４】
この他、ショーケースには、商品のディスプレイ効果を向上させるための照明装置、冷却器の除霜を行うためのヒータなどが設けられている。
【０００５】
近年、このようなショーケースが設定される店舗の状況として、顧客の省エネ志向の向上店舗に設置される機器の節電が求められているが、ショーケースでは照明装置のほか、ファン、冷却器、ヒータと言った電気機器が恒常的に電力を消費しており、消費電力の削減が課題である。
【０００６】
そこで、消費電力の削減を行うため、ショーケースに蓄電池を備え、商用電源から蓄電池に対し、充電を行うとともに、ショーケースの前面上端及び天板、或いは棚等下面に設けられる蛍光灯等の照明灯の非商品側に太陽電池を設け、その出力を前記蓄電池に接続しているので、従来無駄となっていた照明灯からの光の一部を電力に変換して蓄電池に充電し、送風ファンや電子コントローラなどの直流負荷の駆動に利用して消費電力の低減を図っているショーケースが知られている（特許文献１参照）。
【先行技術文献】
【特許文献】
【０００７】
【特許文献１】特開平７−４３０６５号公報
【発明の概要】
【発明が解決しようとする課題】
【０００８】
しかしながら、前記特許文献１においては、蓄電池を使用した消費電力の削減しか記載されておらず、蓄電池の効率的な使用に関しては、行われて無いのが現状である。
【０００９】
本発明は、上記課題を解決するためになされたものであり、蓄電池を使用したショーケースにおいて、蓄電池に効率良く充電を行うとともに、蓄電池を効率良く放電させて、省エネを図るショーケースを提供することを目的とするものである。
【課題を解決するための手段】
【００１０】
上記目的を達成するために、本発明のショーケースは、商用電源から給電される電気機器として、少なくとも、本体ケースの外箱と内箱との通風路に冷却器および送風ファンと、商品陳列領域を照らすための照明装置とを備えるとともに、商品電源から常時給電され充電される蓄電池とを備えたショーケースにおいて、前記商用電源から給電される電気機器を前記蓄電池からの給電に切替える切替手段と、所定の切替条件に基づいて前記切替手段に切替指令を出力する制御手段とを備えたことを特徴とする。
【００１１】
前記所定の切替条件は、電力ピークにおける時間帯によることを特徴とする。
【００１２】
前記所定の切替条件は、ショーケースの負荷、外気温の各パラメータを前記制御手段にて演算して電力使用量を予測し、この予測した電力使用量に基づくものであることを特徴とする。
【発明の効果】
【００１３】
本発明によれば、蓄電池を備えたショーケースにおいて、商品電源から給電される電気機器を前記蓄電池からの給電に切替える切替手段を備え、該切替手段の切替条件の所定条件として、電力ピークの時間帯あるいは電力使用量に基づいて切り替えることにより、適切に省エネを図り、電力ピークを抑えることが可能となる。
【図面の簡単な説明】
【００１４】
【図１】本発明の第１実施の形態によるショーケースの制御装置を示す制御ブロック図である。
【図２】本発明の第２実施の形態によるショーケースの制御装置を示す制御ブロック図である。
【図３】本発明の対象となるショーケースの概略側面図である。
【発明を実施するための形態】
【００１５】
以下、本発明の実施の形態を図１ないし図３に基づいて説明する。
【００１６】
図１は、本発明の第１実施の形態を示すショーケースの制御ブロック図、図２は、本発明の第２実施の形態示すショーケースの制御ブロック図、図３は、本発明の対象となるショーケースの一例を示す図である。
まず、ショーケースの一例として、二層エアカーテン方式の多段形オープンショーケースの構成を図３に示す。
【００１７】
図３において、１は前面開放形の断熱筐体になるケース本体、２は商品陳列室を画成する内箱、３は上下段に並べて商品陳列室の庫内に装備した商品陳列棚、４は商品陳列室の庫内底部側に配したデッキパンであり、商品陳列室を取り巻いてケース本体１と内箱２との間に冷気循環通風路としてインナーダクト５とアウターダクト６とが内外に分けて画成されている。
【００１８】
インナーダクト５には冷却器７および送風ファン８が配置され、アウターダクト６には冷却器を設けずに送風ファン８のみが配置されている。また、インナーダクト５，アウターダクト６に連ねてケース本体１のフロント側上部には内外に並べてインナー吹出口９，アウター吹出口１０が下向きに開口し、この吹出口に対向してケース本体１のフロント側下部には吸込口１１が開口している。
【００１９】
なお、１２はケース本体１の頂部から前方に突き出したキャノピ、１３はキャノピ１２、庫内上部、商品陳列棚に配した照明用の照明装置である。
【００２０】
かかる構成からなるオープンショーケースの保冷運転時には、上記の構成で、保冷運転時に冷却器７，送風ファン８を運転することにより、インナーダクト５には冷却器７と熱交換した低温の冷気流が、アウターダクト６には非冷却の空気流が循環通風し、インナー吹出口９，アウター吹出口１０から吸込口１１に向けてケース本体１の前面開口部に内外二層のエアカーテンが形成され、庫内に陳列した商品を保冷するものである。
【００２１】
図１は、第１実施の形態におけるショーケースの制御ブロック図を示すものであって、１００は制御コントローラ部（制御手段）であり、ショーケース全体を統括して制御するものであり、制御プログラムを記憶する記憶部１０１、後述する給電切替スイッチ２１、充放電切替スイッチ２２を切替えるオンオフ時間のスケジュールを記憶する記憶部１０２を備えている。
【００２２】
この制御コントローラ部１００には、例えば、冷却器７、送風ファン８、照明装置１３、冷却器７の着霜を除霜するためのヒータ１４などの各電気機器、並びに蓄電池２０が接続されている。
【００２３】
上記各機器への給電は、商用電源２００から分電盤２０１を介して給電され、蓄電池２０にも常時給電されて充電される。
【００２４】
この蓄電池２０は、本実施形態においては、送風ファン８への給電用として用いられるものであり、商用電源２００あるいは蓄電池２０からの給電を切替えるための切替手段として、給電切替スイッチ２１、充放電切替スイッチ２２が設けてあり、給電切替スイッチ２１は、商用電源２００から送風ファン８への給電をオンオフし、充放電切替スイッチ２２は、蓄電池２０から送風ファン８への給電をオンオフするものであり、給電切替スイッチ２１がオフの場合に、充放電切替スイッチ２２がオンとなり、送風ファン８への給電は、蓄電池２０からの給電に切り替わるように構成されている。
【００２５】
この給電切替スイッチ２１、充放電切替スイッチ２２のオンオフの切替タイミングは、制御コントローラ部１００の記憶部１０２に記憶されているスケジュールに基づいて切り替わる。
【００２６】
この構成において、通常、各電気機器には、商用電源２００から分電盤２０１を介して給電されものであり、給電切替スイッチ２１はオン、充放電切替スイッチ２２はオフとなっている。
【００２７】
各電気機器は、制御コントローラ部１００からの指令によりオンオフするものであり、保冷運転時に冷却器７，送風ファン８を運転することにより、インナーダクト５には冷却器７と熱交換した低温の冷気流が、アウターダクト６には非冷却の空気流が循環通風し、インナー吹出口９，アウター吹出口１０から吸込口１１に向けてケース本体１の前面開口部に内外二層のエアカーテンが形成され、庫内に陳列した商品を保冷するとともに、商品陳列棚に配置された商品を照らすため、照明装置１３も点灯している。
【００２８】
この商用電源２００から各電気機器への給電の際に、蓄電池２０にも給電され、蓄電池２０が充電される。
【００２９】
ここで、店舗内の電力ピークに合わせて制御コントローラ部１００の記憶部１０２に設定されている所定のスケジュールにより、給電を切り替える所定時間となれば、制御コントローラ部１００から給電切替スイッチ２１、充放電切替スイッチ２２に対して切替指令が出力される。
【００３０】
すなわち、給電切替スイッチ２１がオフとなり、商用電源２００から送風ファン８への給電が断たれ、充放電切替スイッチ２２がオンとなって、蓄電池２０から送風ファン８に給電されるようになり、電力ピーク時に省エネを図るものである。
【００３１】
所定時間経過すると、給電切替スイッチ２１がオン、充放電切替スイッチ２２がオフとなって、送風ファン８へは商用電源２００から再度給電されるようになる。
【００３２】
次に、第２実施の形態として、前記スケジュールによる切り替えに代えて、外気温計、電力量計などのパラメータを用いて電力使用量を算出または予測して切り替えるようにした構成を図２のショーケースの制御ブロック図を用いて簡単に説明する。
【００３３】
なお、図１の制御ブロック図を同一箇所は同一符号にて示す。
【００３４】
図２において、１００は制御コントローラ部（制御手段）であり、ショーケース全体を統括して制御するものであり、制御プログラムを記憶する記憶部１０１、給電切替スイッチ２１、充放電切替スイッチ２２を切替タイミングを記憶する記憶部１０２を備えている。
【００３５】
ここで、第２実施の形態において、図２の制御ブロック図では、制御コントローラ部１００には、冷凍機４０、分電盤２０１に接続された電力量計３１、外気温計３２がそれぞれ接続されている。
【００３６】
この冷凍機、電力量計、外気温計からの出力を制御コントローラにて電力使用量を演算し、この演算結果と予め記憶部１０２に設定されている切替タイミングの値とを比較して、給電切替スイッチ２１、充放電切替スイッチ２２のオンオフを切り替えるものである。
【００３７】
この構成において、通常、各電気機器には、商用電源２００から分電盤２０１を介して給電されものであり、給電切替スイッチ２１はオン、充放電切替スイッチ２２はオフとなっている。
【００３８】
各電気機器は、制御コントローラ部１００からの指令によりオンオフするものであり、保冷運転時に冷却器７，送風ファン８を運転することにより、インナーダクト５には冷却器７と熱交換した低温の冷気流が、アウターダクト６には非冷却の空気流が循環通風し、インナー吹出口９，アウター吹出口１０から吸込口１１に向けてケース本体１の前面開口部に内外二層のエアカーテンが形成され、庫内に陳列した商品を保冷するとともに、商品陳列棚に配置された商品を照らすため、照明装置１３も点灯している。
【００３９】
この商用電源２００から各電気機器への給電の際に、蓄電池２０にも給電され、蓄電池２０が充電される。
【００４０】
この状態において、制御コントローラ部１００では、一定時間毎に冷凍機４０、電力量計３１、外気温計３２から送信されてくる出力を演算する。
【００４１】
この演算結果に基づいて電力使用量を算出、あるいは予測して、その結果、記憶部１０２に記憶されている設定値とを比較して、設定値以上であれば、制御コントローラ部１００から給電切替スイッチ２１、充放電切替スイッチ２２に対して切替指令が出力される。
【００４２】
すなわち、給電切替スイッチ２１がオフとなり、商用電源２００から送風ファン８への給電が断たれ、充放電切替スイッチ２２がオンとなって、蓄電池２０から送風ファン８に給電されるようになり、電力使用量が増大する時間帯に省エネを図るものである。
【００４３】
その後、制御コントローラ部１００では、一定時間毎に冷凍機４０、電力量計３１、外気温計３２から送信されてくる出力を演算して電力使用量を算出しており、設定値未満となれば、給電切替スイッチ２１がオン、充放電切替スイッチ２２がオフとなって、送風ファン８へは商用電源２００から再度給電されるようになる。
【００４４】
この第２実施の形態においては、一定時間毎に制御コントローラ部１００にて電力使用量を算出して、給電切替スイッチ２１、充放電切替スイッチ２２の切替指令を出力していたが、蓄電池２０から商用電源２００への復帰の際には、所定時間経過後に復帰するようにしてもよい。
【００４５】
また、一週間の電力使用量に基づき、次週の切替スケジュールを決定してもよい。
【００４６】
さらに、第１，２実施の形態において、蓄電池２０の充電状態を検知しており、充電状態が一定値以下となれば、蓄電池２０からの給電中であっても、強制的に商用電源２００からの給電に切り替える。
【００４７】
なお、給電切替スイッチ２１、充放電切替スイッチ２２は、手動により強制的に切り替える用にしてもよい。
【符号の説明】
【００４８】
１        ケース本体
１００    制御コントローラ部
１０１，１０２      記憶部
２０      蓄電池
２１      給電切替スイッチ
２２      充放電切替スイッチ
２００    商用電源
３１      電力量計
３２      外気温計
４０      冷凍機
８        送風ファン
【図１】
2014212955.tif 000003
【図２】
2014212955.tif 000004
【図３】
2014212955.tif 000005